(57)【要約】【課題】ソケット本体に対して弾性支持された整列板の平面方向の回転を阻止して接触位置寸法のばらつきを無くすようにした回転防止機構を有する。【解決手段】ソケット本体と、該ソケット本体に回動可能に枢支されたカバー部材と、電子部品が載置される台座を兼ねる整列板と、該電子部品と接続されるコンタクトとを有する電子部品用ソケットにおいて、ばね部材により弾性支持される前記台座を兼ねる整列板の平面方向の回転を阻止する回転防止機構を有する。【選択図】　　　　図２
2004079228.tif 000002
【特許請求の範囲】
【請求項１】
ソケット本体と、該ソケット本体に回動可能に枢支されたカバー部材と、電子部品が載置される台座を兼ねる整列板と、該電子部品と接続されるコンタクトとを有する電子部品用ソケットにおいて、
ばね部材により弾性支持される前記台座を兼ねる整列板の平面方向の回転を阻止する回転防止機構を有することを特徴とする電子部品用ソケット。
【請求項２】
前記回転防止機構が、ばね部材により弾性支持される前記台座を兼ねる整列板を、少なくとも一方向に押圧する弾性部材を有することを特徴とする請求項１記載の電子部品用ソケット。
【請求項３】
前記弾性部材は、アーム部材から形成され、一端が前記ソケット本体に固着され、他端が前記整列板を弾性的に押圧していることを特徴とする請求項２記載の電子部品用ソケット。
【請求項４】
前記整列板の一方の辺と、該一方の辺に対向する前記整列板の他方の辺とを、前記弾性部材と前記ソケット本体とによって挟持して前記整列板を所定位置に配置することを特徴とする請求項３記載の電子部品用ソケット。
【請求項５】
前記弾性部材は、前記他端部分が拡大された頭部をなしていて前記整列板に当接していることを特徴とする請求項４記載の電子部品用ソケット。
【請求項６】
前記弾性部材は、前記整列板の角部を構成する二辺に配置されていることを特徴とする請求項４記載の電子部品用ソケット。
【発明の詳細な説明】
【０００１】
【発明の属する技術分野】
本発明は、ＩＣパッケージ等の半導体素子が用いられるＩＣソケット等の電子部品用ソケットに関するもので、特に、ＩＣパッケージ等の電子部品が載置される位置決め台座を兼ねる整列板をコイルばねで弾性支持して、ＩＣパッケージのような電子部品のＩＣリードのような外部端子を接触、支持するコンタクトの先端部分に対して押圧部材を押し当てるようにしたＩＣソケット等のような電子部品用ソケットに関するものである。
【０００２】
【従来の技術】
従来、電子部品としてのＩＣパッケージ等の半導体素子は、電子部品用ソケットのソケット本体に装着し、押圧機構によって押圧して保持してテスト等の試験や検査等をするようにした位置決め台座付のカバータイプの電子部品用ソケットが知られている。
【０００３】
従来におけるこのような半導体素子のような電子部品用ソケットの１つの例が図８乃至図１０に示されており、図８は、ＩＣパッケージ等の電子部品を装着する際のカバー部材を開いた時のソケット本体を断面して示す中央縦断面図で、図９は、図８の従来の電子部品用ソケットのカバー部材を省略したソケット本体の平面図で、図１０は、図９の電子部品用ソケットのコンタクトの振れによって整列板が回動して接触位置寸法がばらついた時のソケット本体の中央部分の拡大平面部分図である。
【０００４】
図示されるように、従来のＩＣソケットのような電子部品用ソケット１００は、基板やテストボード等に取付けて固着されるソケット本体１０２と、ソケット本体１０２の一側に回動可能に枢支されたカバー部材１０３と、ＩＣパッケージのような電子部品１１０が載置される台座を兼ねる整列板１０４と、ＩＣパッケージ等の電子部品１１０のＩＣリードのような外部端子１１１と接続されるようにソケット本体１０２内に設けられた複数個のコンタクト１０５と、カバー部材１０３の他側に設けられたラッチ機構１０６とを有しており、カバー部材１０３をソケット本体１０２に対して係脱自在に係止するようにカバー部材１０３の他側に設けられたラッチ機構１０６と係止される係止部１０８がソケット本体１０２の他方の側に設けられており、電子部品１１０が載置される位置決め台座を兼ねる整列板１０４を中央の１つのコイルばねのようなばね部材１０７によって弾性支持している。
【０００５】
また、カバー部材１０３には、電子部品１１０の外部端子１１１をコンタクト１０５に対して押圧して接続するための押圧部１０９が設けられている。さらに、これらソケット本体１０２とカバー部材１０３と整列板１０４とラッチ機構１０６と押圧部１０９等は、例えば電気的に絶縁性の適宜な合成樹脂材料から作られており、さらに、台座を兼ねる整列板１０４の上面の周辺には電子部品１１０を載置するための電子部品装着部１１２を区画して形成するように上方に突出する４つのダム部１１４が設けられている。
【０００６】
このような従来の電子部品用ソケット１００において、ソケット本体１０２は、基板部分を形成する底部１１３を有する箱形をなしており、電子部品１１０を載置して装着するための台座を兼ねる整列板１０４を中央部分にて支持するようにばね部材１０７がソケット本体１０２の中心に配置されている。さらにまた、整列板１０４の周辺には、複数個のコンタクト１０５が整列して設けられており、これらコンタクト１０５の端子接触部１１５の上に電子部品１１０の外部端子１１１が載置されて支持されるように構成されている。
【０００７】
このように従来の電子部品用ソケット１００において、ソケット本体１０２内に配置されるコンタクト１０５は、台座を兼ねる整列板１０４と共に、ＩＣパッケージ１１０を弾性支持できるように偏平なほぼＥ字形に彎曲した形状に形成されており、Ｅ字形の一方の脚の、ソケット本体１０２の底部１１３に取付けられる固定部１１６と、この固定部１１６からほぼＥ字形に上方に彎曲する弾性変形可能な２つの彎曲部１１７、１１８とを有しており、これら彎曲部１１７、１１８の先端部分を連結するように電子部品１１０の外部端子１１１を載置して支持する上記した端子接触部１１５が形成されている。さらに、固定部１１６からは、下方に突出するように端子ピン１１９が延びており、この端子ピン１１９の根元部分においてソケット本体１０２の基板部分である底部１１３に固着されている。また、コンタクト１０５は、下方に突出する端子ピン１１９がプリント基板やテストボード等の端子孔に差し込まれて装着できるように形成されており、導電性の良好な金属板材料から作られている。
【０００８】
また、ソケット本体１０２の一側においてカバー部材１０３がヒンジ機構によって回動可能に枢支されており、さらに、カバー部材１０３の他側には、ラッチ機構１０６が設けられていてカバー部材１０３をソケット本体１０２の係止部１０８にラッチして止めることができるようになっている。
【０００９】
【発明が解決しようとする課題】
しかしながら、このような従来における電子部品としてのＩＣパッケージ等の半導体素子が装着される電子部品用ソケット１００において、半導体素子である電子部品１１０の検査時に、電子部品１１０と電気的に接続されるコンタクト１０５は、プレス成形加工によって打ち抜き成形されるのが一般的であり、このような打ち抜き成形においてはコンタクト１０５が所望の形状にならないことが多々見られる。従って、このようなコンタクト１０５を用いた電子部品用ソケット１００では、コンタクト１０５の形状が、設計上認められた誤差範囲を逸脱してしまうようになる。
【００１０】
また、このようなコンタクト１０５の内、特に、半導体素子である電子部品１１０を載置する整列板１０４側のコンタクト１０５の先端の端子接触部１１５等が曲がっていると、図９に示されるように、ソケット本体１０２と整列板１０４とのクリアランスＳ内で、この曲がりによって整列板１０４が回転する現象が生じる。従って、このようなコンタクト１０５の振れによる整列板１０４の回転のために、コンタクト１０５と半導体素子のような電子部品１１０の外部端子１１１との接触位置寸法が図１０に示されるように、接触位置寸法Ａ１、Ａ２と相違してしまい、コンタクト１０５と電子部品１１０の外部端子１１１との電気的接触が不十分となって、半導体素子である電子部品１１０の検査が行われないことになる等の問題が見られる。
【００１１】
従って、本発明の目的は、このような従来における問題点を解決するために、ソケット本体に対して弾性支持された整列板の平面方向の回転を阻止して接触位置寸法のばらつきを無くすようにした回転防止機構を有する電子部品用ソケットを提供することにある。
【００１２】
【課題を解決するための手段】
上述の目的を達成するために、本発明の電子部品用ソケットは、ソケット本体と、該ソケット本体に回動可能に枢支されたカバー部材と、電子部品が載置される台座を兼ねる整列板と、該電子部品と接続されるコンタクトとを有する電子部品用ソケットにおいて、ばね部材により弾性支持される前記台座を兼ねる整列板の平面方向の回転を阻止する回転防止機構を有することを特徴とする。
【００１３】
また、本発明の電子部品用ソケットは、前記回転防止機構が、ばね部材により弾性支持される前記台座を兼ねる整列板を、少なくとも一方向に押圧する弾性部材を有することを特徴とする。
【００１４】
さらに、本発明の電子部品用ソケットは、前記弾性部材が、アーム部材から形成され、一端が前記ソケット本体に固着され、他端が前記整列板を弾性的に押圧していることを特徴とする。
【００１５】
さらにまた、本発明の電子部品用ソケットは、前記整列板の一方の辺と、該一方の辺に対向する前記整列板の他方の辺とを、前記弾性部材と前記ソケット本体とによって挟持して前記整列板を所定位置に配置することを特徴とする。
【００１６】
本発明の電子部品用ソケットは、前記弾性部材が、前記他端部分が拡大された頭部をなしていて前記整列板に当接していることを特徴とする。
【００１７】
また、本発明の電子部品用ソケットは、前記弾性部材が、前記整列板の角部を構成する二辺に配置されていることを特徴とする。
【００１８】
さらに、本発明の電子部品用ソケットは、前記弾性部材が、前記整列板の平面方向に配置されていることを特徴とする。
【００１９】
さらにまた、本発明の電子部品用ソケットの実施例としては、前記弾性部材が、前記整列板に対して垂直方向に配置されていることを特徴とする。
【００２０】
本発明のその他の目的や特徴および利点は、添付図面に示される本発明の実施形態についての以下の詳細な説明から明らかである。
【００２１】
【発明の実施の形態】
（実施例１）
図１および図２は、本発明の電子部品用ソケットの実施例１を示す図で、図１はＩＣパッケージを装着する際のカバー部材を開いた時のソケット本体を断面して示す中央縦断面図で、図２は、図１の本発明の電子部品用ソケットのソケット本体を、カバー部材を省略して示す平面図である。
【００２２】
図示されるように、本発明の電子部品用ソケット１は、基板やテストボード等に取付けて固着されるソケット本体２と、ソケット本体２の一側に回動可能に枢支されたカバー部材３と、半導体素子のような電子部品１０が載置される台座を兼ねる整列板４と、電子部品１０の外部端子１１と接続されるようにソケット本体２内に設けられた複数個のコンタクト５と、カバー部材３の他側に設けられたラッチ機構６とを有しており、カバー部材３をソケット本体２に対して係脱自在に係止するようにカバー部材３の他側に設けられたラッチ機構６と係止される係止部８がソケット本体２の他方の側に設けられており、電子部品１０が載置される位置決め台座を兼ねる整列板４を中央の１つのコイルばねのようなばね部材７によって弾性支持している。
【００２３】
さらに、カバー部材３には、電子部品１０の外部端子１１をコンタクト５に対して押圧して接続するための押圧部９が設けられている。また、これらソケット本体２とカバー部材３と整列板４とラッチ機構６と押圧部９等は、例えば電気的に絶縁性の適宜な合成樹脂材料から作られており、さらにまた、台座を兼ねる整列板４の上面の周辺には電子部品１０を載置するための電子部品装着部１２を区画して形成するように上方に突出する４つのダム部１４が設けられている。
【００２４】
このような本発明の電子部品用ソケット１において、ソケット本体２は、基板部分を形成する底部１３の有る箱形をなしており、電子部品１０を載置して装着するための台座を兼ねる整列板４を中央部分にて支持するようにコイルばね７がソケット本体２の中心に配置されている。さらにまた、整列板４の周辺には、複数個のコンタクト５が整列して設けられており、これらコンタクト５の端子接触部１５の上に電子部品１０の外部端子１１が載置されて支持されるように構成されている。
【００２５】
このように本発明の電子部品用ソケット１において、ソケット本体２内に配置されるコンタクト５は、台座を兼ねる整列板４と共に、電子部品１０を弾性支持できるように偏平なほぼＥ字形に彎曲した形状に形成されており、Ｅ字形の一方の脚の、ソケット本体２の底部１３に取付けられる方の固定部１６と、この固定部１６からほぼＥ字形に上方に彎曲する弾性変形可能な２つの彎曲部１７、１８とを有しており、これら彎曲部１７、１８の先端部分を連結して成るように電子部品１０のＩＣリード等の外部端子１１を載置して支持する上記の端子接触部１５が形成されている。なお、図２において、コンタクト５は全部が示されておらず、左右両側の一部のコンタクト５だけが示されており、一部が省略されて図示されている。
【００２６】
さらに、固定部１６からは、下方に突出するように端子ピン１９が延びており、この端子ピン１９の根元部分においてソケット本体２の基板部分である底部１３に固着されている。また、コンタクト５は、下方に突出する端子ピン１９がプリント基板やテストボード等の端子孔に差し込まれて装着できるように形成されており、導電性の良好な金属板材料から作られている。さらにまた、図示のコンタクト５においては、端子ピン１９の長さがそれぞれ異なっているが、これら端子ピン１９は同一の長さでも良いことは勿論であり、プリント基板やテストボード等の対応する端子孔への差込みを良好にするように本実施例では長さが異なっているものである。
【００２７】
また、ソケット本体２の一側においてカバー部材３がヒンジ機構等によって回動可能に枢支されており、さらに、カバー部材３の他側には、ラッチ機構６が設けられていてカバー部材３をソケット本体２の係止部８にラッチして止めることができるようになっている。
【００２８】
このような本発明の、電子部品１０等の半導体素子が装着される電子部品用ソケット１において　また、このようなコンタクト５の内に、特に、半導体素子１０を載置する整列板４側のコンタクト５の先端の端子接触部１５等が曲がっているために、ソケット本体２と整列板４とのクリアランスの範囲内にて、この曲がりによって整列板４が回転するのを防止するために、ソケット本体２に対して弾性支持された整列板４の平面方向の回転を阻止するように回転防止機構２０が設けられている。
【００２９】
特に、図２に明示されるように、本発明のこのような電子部品用ソケット１における回転防止機構２０は、ばね部材７によって弾性支持される台座を兼ねる整列板４を、平面方向において少なくとも一方向に押圧する弾性部材２１を有している。本実施例においては、この回転防止機構２０は、整列板４の四隅にそれぞれ設けられており、計４個が設けられているが、これら回転防止機構２０は必要に応じて１つでも２つでも、適宜な数だけ設けることができる。
【００３０】
本発明における回転防止機構２０のこのような弾性部材２１は、その１つが図２に拡大して示されるように、アーム部材２２から形成されており、一端がソケット本体２に固着されていて、他端が自由端となっていて拡大された頭部２３が形成されており、整列板４を弾性的に押圧するようにレバー状となっていて、整列板４の一方の辺４ａに頭部２３が当接して整列板４を矢印の方向、すなわち平面方向において一方向に押圧している。この弾性部材２１に対応して角部の隣接の側辺に、すなわち丁度、ほぼ９０°ほど曲ったところに、当接部２４が設けられており、ソケット本体２に対して整列板４を所定の間隙、すなわちクリアランスを置いて配置するように形成されている。また、この当接部２４は、ソケット本体２や整列板４のいずれの側に設けても良く、別の部材としてソケット本体２または整列板４に取付けるように設けることもできる。
【００３１】
このように構成された本発明の電子部品用ソケット１における回転防止機構２０は、ばね部材７によって弾性支持される台座を兼ねる整列板４を、平面方向において少なくとも一方向に押圧するように整列板４の四隅にそれぞれ設けられており、整列板４を矢印で示されるように平面方向において一方向に押圧しており、このような押圧に対して角部の隣接の側辺において当接部２４によってこれを受けて整列板４とソケット本体２との間の隙間、すなわちクリアランスをほぼ一定に保って維持している。
【００３２】
（実施例２）
図３および図４は、本発明の電子部品用ソケットの実施例２を示す図で、図３は、本発明の電子部品用ソケットの整列板部分の拡大平面部分図で、図４は、図３のＩＶ―ＩＶ線に沿った拡大断面部分図である。
【００３３】
図示されるように、本実施例の電子部品用ソケットは、基本的な構成は上述した先の実施例１のものと実質的に同じであり、ここでは回転防止機構３０に就いてのみ説明するものとする。
【００３４】
図３および図４に示されるように、本発明の電子部品用ソケットの実施例２における回転防止機構３０は、ばね部材によって弾性支持される台座を兼ねる整列板４を、平面方向において矢印で示される方向に押圧するように垂直方向に起立する弾性部材３１を有しており、本実施例においても、このような回転防止機構３０が、整列板４の四隅にそれぞれ設けられている。
【００３５】
本発明のこの実施例２における回転防止機構３０は、このような垂直方向に起立する弾性部材３１の１つが図４に拡大して示されており、図示されるように、垂直方向に起立するアーム部材３２から形成されていて、下端の基端部において根元がソケット本体２に固着されており、上端が自由端となっていて拡大された頭部３３が形成されていて、整列板４を弾性的に押圧するようにレバー状となっており、整列板４の一方の辺４ａに頭部３３が当接されていて整列板４を矢印の方向、すなわち平面方向において一方向に押圧している。
【００３６】
さらに、この弾性部材３１に対応して角部の隣接の側辺に、すなわち丁度、ほぼ９０°ほど曲ったところに当接部３４が設けられており、ソケット本体２に対して整列板４を所定の間隙、すなわちクリアランスを置いて配置するように形成されている。また、この当接部３４は、ソケット本体２や整列板４のいずれの側に設けることができることは勿論である。
【００３７】
このように構成された本発明の電子部品用ソケットにおける回転防止機構３０は、ばね部材によって弾性支持される台座を兼ねる整列板４を、平面方向において矢印で示されるように一方向に押圧するように整列板４の四隅にそれぞれ設けられており、整列板４を矢印で示される如く平面方向において一方向に押圧しており、このような押圧に対向して隣接の角部の側辺において当接部３４によって、この押圧を受けて整列板４とソケット本体２との間の隙間、すなわちクリアランスをほぼ一定に保って維持している。
【００３８】
（実施例３）
図５は、本発明の電子部品用ソケットの実施例３を示す図で、本発明の電子部品用ソケットの整列板部分の拡大平面部分図である。
【００３９】
図示されるように、本実施例の電子部品用ソケットは、基本的な構成は上述した先の実施例１および実施例２のものと実質的に同じであり、ここでは回転防止機構４０に就いてのみ説明するものとする。
【００４０】
図５に示されるように、本発明の電子部品用ソケットの実施例３における回転防止機構４０は、ばね部材によって弾性支持される台座を兼ねる整列板４に、ソケット本体２に対して平面方向において矢印で示される方向に押圧するように平面方向に水平に延びるアーム状の弾性部材４１を有しており、本実施例においても、このような回転防止機構４０が、整列板４の四隅にそれぞれ設けられている。
【００４１】
本発明のこの実施例３における回転防止機構４０は、このような水平方向に延びる弾性部材４１が、図示されるように、整列板４の４つの角部にそれぞれ設けられており、各弾性部材４１が、水平方向に延びるアーム部材４２からそれぞれ形成されていて、基端部における根元部分が整列板４に固着されており、先端が自由端となっていて拡大された頭部４３が形成されていて、ソケット本体２の対応する部分を弾性的に押圧するようにレバー状となっており、ソケット本体２の切欠き部分の一方の辺２ａに頭部４３が当接されていて、ソケット本体２を矢印の方向、すなわち平面方向において一方向に押圧している。
【００４２】
さらに、この弾性部材４１の押圧方向に対応して同じ角部の隣接の側辺に、すなわち丁度、ほぼ９０°ほど曲ったところに当接部４４が設けられており、ソケット本体２に対して整列板４を所定の間隙、すなわちクリアランスを置いて配置するように形成されている。また、この当接部４４は、ソケット本体２や整列板４のいずれの側に設けることができることは勿論である。
【００４３】
このように構成された本発明の電子部品用ソケットにおける回転防止機構４０においては、ばね部材によって弾性支持される台座を兼ねる整列板４に対してソケット本体２を、平面方向において矢印で示されるように一方向に押圧するように整列板４の四隅にそれぞれ回転防止機構４０がそれぞれ設けられており、整列板４に対してソケット本体２を矢印で示されるように平面方向において一方向に押圧しており、このような押圧に対向して隣接の角部の側辺において当接部４４によって、この押圧を受けて整列板４とソケット本体２との間の隙間、すなわちクリアランスをほぼ一定に保って維持している。
【００４４】
（実施例４）
図６および図７は、本発明の電子部品用ソケットの実施例４を示す図で、図６は、本発明の電子部品用ソケットの整列板部分の拡大平面部分図で、図７は、図６のＶＩＩ―ＶＩＩ線に沿った拡大断面部分図である。
【００４５】
図示されるように、本実施例の電子部品用ソケットは、基本的な構成が、上述した先の実施例１乃至実施例３のものと実質的に同じであり、ここでは回転防止機構５０に就いてのみ説明するものとする。
【００４６】
図６および図７に示されるように、本発明の電子部品用ソケットの実施例４における回転防止機構５０は、ばね部材によって弾性支持される台座を兼ねる整列板４を、平面方向において矢印で示される方向に押圧するように垂直方向に垂下する弾性部材３１を有しており、本実施例においても、このような回転防止機構５０が、整列板４の四隅にそれぞれ設けられている。
【００４７】
本発明のこの実施例４における回転防止機構５０は、このような垂直方向に垂下する、すなわち上方から下方に延びる弾性部材５１の１つが図７に拡大して示されており、図示されるように、垂直方向に垂下するアーム部材５２から形成されていて、上端の基端部において根元が整列板４の角部に固着されており、下端が自由端となっていて拡大された頭部５３が形成されていて、ソケット本体２を弾性的に押圧するようにレバー状となっており、ソケット本体２の一方の側辺２ａに頭部５３が当接されていてソケット本体２を矢印の方向、すなわち平面方向において一方に押圧している。
【００４８】
さらに、この弾性部材５１に対応して角部の隣接の側辺に、すなわち丁度、ほぼ９０°ほど曲ったところに当接部５４が設けられており、ソケット本体２に対して整列板４を所定の間隙、すなわちクリアランスを置いて配置するように形成されている。また、この当接部５４は、ソケット本体２や整列板４のいずれの側に設けることができることは勿論である。
【００４９】
このように構成された本発明の電子部品用ソケットにおける回転防止機構５０は、ソケット本体２を平面方向において矢印で示されるように一方向に押圧するように、ばね部材によって弾性支持される台座を兼ねる整列板４の四隅にそれぞれ設けられており、整列板４の４つの角部にそれぞれ設けられた回転防止機構５０の弾性部材５１によって矢印で示されるように平面方向において一方向にソケット部材２をそれぞれ押圧しており、このような押圧に対向して隣接の角部の側辺において当接部５４によって、この押圧を受けてソケット本体２と整列板４との間の隙間、すなわちクリアランスをほぼ一定に保って維持している。
【００５０】
上述したように、本発明の電子部品用ソケットは、各回転防止機構が、ばね部材により弾性支持される台座を兼ねる整列板を、少なくとも一方向に押圧するアーム部材から形成された弾性部材を有し、この弾性部材の一端がソケット本体または整列板に固着され、他端が整列板またはソケット本体のいずれか一方を弾性的に押圧していて、整列板の一方の辺と、この一方の辺に対向する整列板の他方の辺とを、弾性部材とソケット本体とによって挟持して整列板を所定位置に配置するように構成されており、さらに、弾性部材の端部が拡大された頭部をなしていて整列板またはソケット本体を当接しているので、ソケット本体と整列板との間のクリアランスをほぼ一定に保って維持することができ、平面方向においてソケット本体または整列板のいずれかを一方向に好適に押圧することができる。
【００５１】
なお、このような本発明の電子部品用ソケットにおいて、使用されている半導体素子としての電子部品は、クアッド・フラット・パッケージやスモール・アウトライン・パッケージ等のＩＣパッケージが適用できるが、このようなＩＣパッケージに限られること無く、他の同様なタイプのＩＣパッケージや電子部品等を用いることができるのは勿論である。
【００５２】
【発明の効果】
本発明の請求項１記載の電子部品用ソケットは、ソケット本体と、該ソケット本体に回動可能に枢支されたカバー部材と、電子部品が載置される台座を兼ねる整列板と、該電子部品と接続されるコンタクトとを有する電子部品用ソケットにおいて、ばね部材により弾性支持される前記台座を兼ねる整列板の平面方向の回転を阻止する回転防止機構を有するので、コンタクトの振れによる整列板の平面方向の回転を好適に防止して接触位置寸法のばらつきを無くすようにすることができる。
【００５３】
また、本発明の請求項２記載の電子部品用ソケットは、前記回転防止機構が、ばね部材により弾性支持される前記台座を兼ねる整列板を、少なくとも一方向に押圧する弾性部材を有するので、ソケット本体と整列板との間のクリアランスをほぼ一定に保って維持することができ、平面方向においてソケット本体または整列板のいずれかを一方向に好適に押圧することができ、かつ回転防止機構の弾性部材によって整列板の回転を好適に防止して接触位置寸法のばらつきを無くすことができる。
【００５４】
本発明の請求項３記載の電子部品用ソケットは、前記弾性部材が、アーム部材から形成され、一端が前記ソケット本体に固着され、他端が前記整列板を弾性的に押圧しているので、ソケット本体と整列板との間のクリアランスをほぼ一定に保って維持することができ、平面方向においてソケット本体または整列板のいずれかを一方向に好適に押圧することができる。
【００５５】
本発明の請求項４記載の電子部品用ソケットは、前記整列板の一方の辺と、該一方の辺に対向する前記整列板の他方の辺とを、前記弾性部材と前記ソケット本体とによって挟持して前記整列板を所定位置に配置するので、ソケット本体と整列板との間のクリアランスをほぼ一定に保って維持することができ、平面方向においてソケット本体または整列板のいずれかを一方向に好適に押圧することができる。
【００５６】
本発明の請求項５記載の電子部品用ソケットは、前記弾性部材が、前記他端部分が拡大された頭部をなしていて前記整列板に当接しているので、ソケット本体と整列板との間のクリアランスをほぼ一定に保って維持することができる。
【００５７】
本発明の請求項６記載の電子部品用ソケットは、前記弾性部材が、前記整列板の角部を構成する二辺に配置されているので、ソケット本体と整列板との間のクリアランスをほぼ一定に保って維持することができる。
【図面の簡単な説明】
【図１】本発明の電子部品用ソケットの実施例１におけるカバー部材を開いた時のソケット本体を断面して示す中央縦断面図である。
【図２】図１の本発明の電子部品用ソケットのカバー部材を省略して示すソケット本体の平面図である。
【図３】本発明の電子部品用ソケットの実施例２における整列板部分の拡大平面部分図である。
【図４】図３のＩＶ―ＩＶ線に沿った拡大断面部分図である。
【図５】本発明の電子部品用ソケットの実施例３における整列板部分の拡大平面部分図である。
【図６】本発明の電子部品用ソケットの実施例４における整列板部分の拡大平面部分図である。
【図７】図６のＶＩＩ―ＶＩＩ線に沿った拡大断面部分図である。
【図８】従来の電子部品用ソケットにおいて、電子部品を装着する際のカバー部材を開いた時のソケット本体を断面して示す中央縦断面図である。
【図９】図８の従来の電子部品用ソケットのカバー部材を省略して示すソケット本体の平面図である。
【図１０】図９の従来の電子部品用ソケットのコンタクトの振れによって整列板が回転して接触位置寸法がばらついた状態を示す拡大平面部分図である。
【符号の説明】
１　　　電子部品用ソケット
２　　　ソケット本体
３　　　カバー部材
４　　　整列板
５　　　コンタクト
６　　　ラッチ機構
７　　　ばね部材
８　　　係止部
９　　　押圧部
１０　　電子部品
１１　　外部端子
１２　　電子部品装着部
１３　　底部
１４　　ダム部
１５　　端子接触部
１６　　固定部
１７　　彎曲部
１８　　彎曲部
１９　　端子ピン
２０　　回転防止機構
２１　　弾性部材
２２　　アーム部材
２３　　頭部
２４　　当接部
３０　　回転防止機構
３１　　弾性部材
３２　　アーム部材
３３　　頭部
３４　　当接部
４０　　回転防止機構
４１　　弾性部材
４２　　アーム部材
４３　　頭部
４４　　当接部
５０　　回転防止機構
５１　　弾性部材
５２　　アーム部材
５３　　頭部
５４　　当接部
【図１】
2004079228.tif 000003
【図２】
2004079228.tif 000004
【図３】
2004079228.tif 000005
【図４】
2004079228.tif 000006
【図５】
2004079228.tif 000007
【図６】
2004079228.tif 000008
【図７】
2004079228.tif 000009
【図８】
2004079228.tif 000010
【図９】
2004079228.tif 000011
【図１０】
2004079228.tif 000012